(57)【要約】      （修正有）【課題】取出し栓を持つ液体用のプラスチック容器の製造方法の提供。【解決手段】容器（２）の前方壁面のヴォールト（１２）の外面（１９）上にある、溶接装置においてブロー成形済みの容器（２）を中心軸を合わせて保持するための少なくとも一つの取付部分（１８）と、このヴォールト（１２）の外面（１９）にある、この取出し栓（１０）の名目直径と等しい直径を持つ円形の窪みとを有する容器（２）をブロー成形することと、この窪みの中心に切削工具を合わせて、この窪みの基礎面を切り抜き、この容器（２）の排出口（１１）を形成することと、この取出し栓（１０）を、その流入管（２４）の端を固定用フランジ（２６）として適合する形状に形成して、この容器（２）の排出口（１１）の外縁部（２８）に溶接する。【選択図】  図３
2005263323.tif 000002
【特許請求の範囲】
【請求項１】
液体用のプラスチック容器の製造方法であって、この容器が、四つの側方の壁面と、下方及び上方の基礎面と、この上方の基礎面にある閉鎖可能な注入口と、流入管と流出管とを備えた栓ボディを持つプラスチック製の取出し栓、特にフラップ型栓又はボール型栓とを有し、その際この栓ボディの流入管が、この取出し栓を収容するための容器の前方壁面の下方のヴォールト内にある排出口に接続されている容器の製造方法において、
容器（２）の前方壁面（３）のヴォールト（１２）の外面（１９）上にある、溶接装置においてブロー成形済みの容器（２）を中心軸を合わせて保持するための少なくとも一つの取付部分（１８）と、このヴォールト（１２）の外面（１９）にある、この取出し栓（１０）の名目直径と等しい直径（２１）を持つ円形の窪み（２０）とを有する容器（２）をブロー成形することと、この窪み（２０）の中心に切削工具を合わせて、この窪み（２０）の基礎面（２２）を切り抜き、この容器（２）の排出口（１１）を形成することと、この取出し栓（１０）を、その流入管（２４）の端を固定用フランジ（２６）として適合する形状に形成して、この容器（２）の排出口（１１）の外縁部（２８）に溶接することとを特徴とする方法。
【請求項２】
液体用のプラスチック容器の製造方法であって、この容器が、四つの側方の壁面と、下方及び上方の基礎面と、この上方の基礎面にある閉鎖可能な注入口と、流入管と流出管とを備えた栓ボディを持つプラスチック製の取出し栓、特にフラップ型栓又はボール型栓とを有し、その際この栓ボディの流入管が、この取出し栓を収容するための容器の前方壁面の下方のヴォールト内にある排出口に接続されている容器の製造方法において、
容器（２）の前方壁面（３）のヴォールト（１２）の外面（１９）上にある、溶接装置においてブロー成形済みの容器（２）を中心軸を合わせて保持するための少なくとも一つの取付部分（１８）と、このヴォールト（１２）の外面（１９）にある、この取出し栓（１０）の名目直径と等しい直径（２１）を持つ円形の窪み（２０）とを有する容器（２）をブロー成形することと、この窪み（２０）の中心に切削工具を合わせて、この窪み（２０）の基礎面（２２）を切り抜き、この容器（２）の排出口（１１）を形成することと、雄のねじ山（３０）を備えたプラスチック製の排出管（２９）を、この容器（２）の排出口（１１）の外縁部（２８）に溶接し、ロックナット（３２）を用いて、この取出し栓（１０）を、この排出管（２９）にねじ入れて固定することとを特徴とする方法。
【請求項３】
当該の取出し栓（１０）の流入管（２４）を、突合せ溶接により、容器の前方壁面（３）のヴォールト（１２）を切り抜いた容器（２）の排出口（１１）の外縁部（２８）に溶接することを特徴とする請求項１に記載の方法。
【請求項４】
当該の排出管（２９）を、突合せ溶接により、容器の前方壁面（３）のヴォールト（１２）を切り抜いた容器（２）の排出口（１１）の外縁部（２８）に溶接することを特徴とする請求項２に記載の方法。
【発明の詳細な説明】
【技術分野】
【０００１】
この発明は、容器が、四つの側方の壁面と、下方及び上方の基礎面と、この上方の基礎面にある閉鎖可能な注入口と、流入管と流出管とを備えた栓ボディを持つプラスチック製の取出し栓、特にフラップ型栓又はボール型栓とを有し、その際この栓ボディの流入管が、この取出し栓を収容するための容器の前方壁面の下方のヴォールト内にある排出口に接続されている、液体用のプラスチック容器の製造方法に関する。
【背景技術】
【０００２】
特許文献１により周知の、パレット型容器として用いられる、フラップ型栓として形成された取出し栓を持つ液体用のプラスチック容器を製造するには、この液体容器のブロー成形の際に、プラスチックの射出成形部品として前もって製作した、雄のねじ山を持つ排出管を、ブロー成形型に入れて、この容器と溶接している。冷えた容器を型から取り出した後、切削工具を排出管に差し込んで、容器の壁面から排出口を切り抜く。その次に、取出し栓を、ロックナットを用いて、液体容器の排出管にねじ入れて固定している。
【０００３】
取出し栓を持つプラスチック製の液体容器の別の周知の製造方法では、容器のブロー成形の際に、プラスチックの射出成形部品として前もって製作した栓ボディを、ブロー成形型に入れて、その流入管を、この容器と溶接する。冷えた容器を型から取り出した後、切削工具を栓ボディに差し込んで、容器の壁面から排出口を切り抜く。その次に、遮断器具と操作レバーを持つ駆動シャフトを栓ボディに取り付けている。
【０００４】
これらの二つの周知の製造方法では、排出管又は栓ボディをブロー成形型に入れる必要があるため、ブロー成形の周期が、それに応じて長くなり、それによって製造設備の製造能力が低下している。この二番目の製造方法では、液体容器のブロー成形後に取出し栓を最終的に組み立てる必要があるため、製造設備の製造能力が更に低下している。
【特許文献１】ドイツ特許公開第１０２３７８０８号明細書
【発明の開示】
【発明が解決しようとする課題】
【０００５】
この発明の課題は、これらの周知の製造方法と比べて、より高い製造能力を可能とする、取出し栓を備えた液体容器の製造方法を開発することである。
【課題を解決するための手段】
【０００６】
この課題は、この発明において、請求項１及び２にもとづく製造方法によって解決される。
【発明を実施するための最良の形態】
【０００７】
以下において、図面にもとづき、この発明を説明する。
【０００８】
図１の使い捨て／再利用容器として用いられる運搬／貯蔵用容器１は、主要な構成部品として、四つの側方の壁面３〜６を持つ、液体用の交換可能で直方体形状のプラスチック製の容器２を有し、このプラスチック製の容器は、蓋８で閉鎖可能な上方基礎面９にある注入管７と取出し栓１０とを備えており、この取出し栓は、取出し栓１０を収容するための容器の下方基礎面１３の領域にある容器２の前方壁面３のドーム状のヴォールト１２内の排出口１１と接続されており、更に金属製の交差した水平と垂直の格子状の棒１４，１５から成る外側カバー、ならびに縦横の寸法がヨーロッパ標準規格に適合したパレット状の台座１６を有し、この台座の平坦な底面槽として形成された、金属薄板から成る底部１７は、プラスチック容器２を支持している。
【０００９】
この液体を収容するための容器２は、容器の前方壁面３のヴォールト１２の外面１９上にある、溶接装置において、ブロー成形済みの容器２を中心軸を合わせて保持するためのリング状の取付部分１８と、このヴォールト１２の外面１９にある、フラップ型栓又はボール型栓として形成された取出し栓１０の名目直径に等しい直径２１を持つ円形の窪み２０とを持つ形でブロー成形される（図２）。冷えた容器２を型から取り出した後、切削工具を窪み２０の基礎面２２の中心に合わせて切り抜いて、容器２の排出口１１を形成する。その次に、その射出成形されたプラスチック製のボディ２３が流入管２４と流出管２５とを持つ取出し栓１０は、その流入管２４の端を適合する形状に形成した固定用フランジ２６を、リング状継手２７によって容器２の排出口１１と中心軸を合わせて、突合わせ溶接装置(Spiegelschweissmachine)を用いて、排出口１１の外縁部２８と溶接される（図３）。
【００１０】
図４と５に示された別の取出し栓１０を備えた液体容器２の製造方法では、突合わせ溶接装置を用いて、射出成形部品として前もって製作した、雄のねじ山３０を備えた排出管２９を容器２の排出口１１の外縁部２８と溶接しており、その際排出管２９を、この排出管の端を適合する形状に形成したリング状継手３１によって、容器２の排出口１１と中心軸を合わしている。前もって組み立て済みの取出し栓１０を、その流入管２４上に保持したロックナット３２を用いて、この液体容器２に溶接された排出管２９にねじ入れて固定している。
【図面の簡単な説明】
【００１１】
【図１】パレット型容器として形成された、取出し栓を持つ、プラスチック製の液体容器の斜視図
【図２】ブロー成形された液体容器の流出領域を拡大した斜視図
【図３】溶接された取出し栓を持つ液体容器の流出領域の縦断面図
【図４】溶接された排出管を持つ液体容器の流出領域の縦断面図
【図５】液体容器の流出領域に溶接して取出し栓をねじ入れた、図４の排出管の縦断面図
【符号の説明】
【００１２】
１    運搬／貯蔵用容器
２    プラスチック製の容器
３〜６    側方の壁面
７    注入管
８    蓋
９    上方基礎面
１０    取出し栓
１１    排出口
１２    ヴォールト
１３    下方基礎面
１４    水平の格子状の棒
１５    垂直の格子状の棒
１６    台座
１７    底部
１８    取付部分
１９    ヴォールト１２の外面
２０    窪み
２１    窪み２０の直径
２２    窪み２０の基礎面
２３    栓ボディ
２４    流入管
２５    流出管
２６    固定用フランジ
２７    リング状継手
２８    排出口１１の外縁部
２９    排出管
３０    雄のねじ山
３１    リング状継手
３２    ロックナット
【図１】
2005263323.tif 000003
【図２】
2005263323.tif 000004
【図３】
2005263323.tif 000005
【図４】
2005263323.tif 000006
【図５】
2005263323.tif 000007